(57)【要約】【課題】カラオケを盛り上げることができるカラオケ用マイク付きリモコンおよびカラオケシステムを提供する。【解決手段】本発明のカラオケ用マイク付きリモコン５は、リモコン本体１１１に、リモコン側マイクロホン１１３とリモコン側赤外線送受信部１１４が互いに反対方向を向くよう配置され、リモコン制御回路１５１は、リモコン側赤外線送受信部１１４で受信した制御信号に基づいてタッチパネルディスプレイ１１５に所定の情報を表示するとともに、タッチパネルで受け付けた操作入力に基づいてリモコン本体１１１を制御し、タッチパネルディスプレイ１１５は、リモコン本体１１１におけるリモコン側マイクロホン１１３とリモコン側赤外線送受信部１１４との間の外面に配置され、タッチパネルディスプレイ１１５の表示面がリモコン側マイクロホン１１３側を向くよう回動可能にリモコン本体１１１に支持されている。【選択図】図４
2005309001.tif 000002
【特許請求の範囲】
【請求項１】
カラオケシステムを遠隔操作するためのリモコン本体と、
音声を音声信号として入力するためのマイクロホンと、
上記マイクロホンから入力された音声信号を上記カラオケシステムに無線で送信するとともに、所定の制御信号を上記カラオケシステムから無線で受信するリモコン側送受信部と、
使用者による操作入力を受け付けるタッチパネルが積層され、所定の情報を表示する表示部と、
上記リモコン本体の動作を制御するリモコン制御手段とを備え、
上記リモコン本体に、上記マイクロホンと上記リモコン側送受信部が互いに反対方向を向くよう配置され、
上記リモコン制御手段は、上記リモコン送受信部で受信した制御信号に基づいて上記表示部に上記所定の情報を表示するとともに、上記タッチパネルで受け付けた操作入力に基づいて上記リモコン本体を制御し、
上記表示部は、上記リモコン本体におけるマイクロホンと上記リモコン送受信部との間の外面に配置され、当該表示部の表示面がマイクロホン側を向くよう回動可能にリモコン本体に支持されていることを特徴とするカラオケ用マイク付きリモコン。
【請求項２】
カラオケシステム本体の動作を制御するシステム制御手段と、カラオケ用マイク付きリモコンに所定の制御信号を無線で送信するとともに、上記カラオケ用マイク付きリモコンのマイクロホンから入力された音声信号を無線で受信するシステム側送受信部と、上記システム側送受信部で受信した音声信号を出力する音声出力手段と、楽曲に関する情報に基づいて音声を再生する再生手段と、上記楽曲に関する情報に基づいて静止画または動画を表示する表示手段とを備えたカラオケシステム本体と、
上記カラオケシステム本体を遠隔操作するためのリモコン本体と、音声を音声信号として入力するためのマイクロホンと、上記マイクロホンから入力された音声信号を上記カラオケシステム本体に無線で送信するとともに、所定の制御信号を上記カラオケシステム本体から無線で受信するリモコン側送受信部と、所定の情報を表示する表示部と、上記リモコン本体の動作を制御するリモコン制御手段とを備えたカラオケ用マイク付きリモコンとを有し、
上記システム制御手段は、上記カラオケ用マイク付きリモコンに上記楽曲に関する情報を含む制御信号を送信し、上記リモコン制御手段は、当該制御信号に基づいて上記楽曲に関する情報に応じた静止画または動画を上記表示部に表示することを特徴とするカラオケシステム。
【請求項３】
上記カラオケシステム本体は、使用者がカラオケシステム本体にそれぞれ異なる複数の動作を開始させるための操作入力を受け付ける操作手段を上記複数の動作に対応して複数備え、
上記システム制御手段は、上記複数の動作を制御するように構成され、当該複数の動作の中から上記操作手段が受け付けた操作入力に対応した動作を実行する請求項２記載のカラオケシステム。
【請求項４】
外部から送信された外部信号を受信する外部信号受信手段と、上記外部信号受信手段の受信を報知する報知手段とを備え、
上記システム制御手段は、上記外部信号受信手段が外部信号を受信したとき、実行している動作を停止して報知手段による報知を行なう請求項２または３記載のカラオケシステム。
【請求項５】
上記カラオケ用マイク付きリモコンは、所定の報知信号を出力して存在を報知する報知手段を備え、
上記カラオケシステム本体は、上記報知手段に報知信号を出力させるための操作入力を使用者から受け付ける報知操作手段を備え、
上記システム制御手段は、上記報知操作手段の操作入力に応じて上記カラオケ用マイク付きリモコンに制御信号を送信し、上記リモコン制御手段は、当該制御信号に基づいて上記報知手段に報知信号を出力させる請求項２〜４のいずれか一項に記載のカラオケシステム。
【発明の詳細な説明】
【技術分野】
【０００１】
本発明は、カラオケを行なう際に用いるカラオケ用マイク付きリモコンおよびカラオケシステムに関する。
【背景技術】
【０００２】
例えばＬＤ（レーザーディスク）や画像データも記録されたいわゆるＶｉｄｅｏ−ＣＤ等を再生するためのディスク再生装置と、このディスクプレーヤで再生された画像を表示するための表示装置と、ディスクプレーヤで再生された音声を出力すると共にマイクミキシング機能を備えた音声出力装置からなるカラオケシステム、あるいはこれらの機能が１つにまとめられた複合型電子機器が知られている。
【０００３】
上記のようなものとして、再生装置と表示装置とマイクミキシング機能を有してカラオケシステムあるいはカラオケ装置として構築されているような複合型ＡＶシステムが提案されている（例えば、下記の特許文献１参照。）。特許文献１に示されるような装置では、表示装置の画像表示によりカラオケだけではなく各種ゲームを行なうことができるようになっている。
【０００４】
また、無線でプロジェクタを遠隔操作するためのリモコンに設けられたマイクロホンをリモコンの向きの如何にかかわらず、所望の方向に向けられるようにしたマイク付リモコン装置が提案されている（例えば、下記の特許文献２参照。）。特許文献２に示されるような装置では、マイクは、リモコンの向きとは無関係に常に向きが変わらないように制御され、声がマイクに入りやすくなっている。
【特許文献１】特開平７−３２０４５８号公報
【特許文献２】特開２００１−９５０７２号公報
【発明の開示】
【発明が解決しようとする課題】
【０００５】
しかしながら、上記特許文献１に示すような装置では、その装置から離れた位置にいる使用者は、表示装置の画面に表示される情報が見難いという状況がある。例えば、通常、カラオケは、複数人で装置に配置された表示画面を見ながら行なわれるものであるが、使用者によっては、装置から離れた位置にいたり、表示画面に対する角度が悪い位置にいることで表示画面に表示される歌詞が見難いという場合がある。このような状況では、カラオケを行なう使用者が全て同じように楽しむことが困難となり、カラオケでの盛り上がりに欠けるという問題がある。
【０００６】
また、上記特許文献２に示すような装置では、マイクロホンの向きを変えるような構成であるため、構造が煩雑となるうえ、製造コストがかかり、好ましくない。
【０００７】
また、上記特許文献１に示すような複合型ＡＶシステムに、上記特許文献２に示すようなマイク付リモコン装置を適用しても、カラオケでは、使用者は、通常、自分の手で自分の音声が入り易い位置に調整しながら歌うことで気分を盛り上げることができる。例えば、大きな声や小さな声を出すときに応じてマイクロホンの向きを変えることで、歌に抑揚をつけることができる。すなわち、マイクロホンの向きを変え歌に表情をつけて歌う行為もカラオケの面白みでもある。このため、使用者は、マイクロホンの向きが自動的に変わることで、思い通りに歌い抑揚をつけることができず、カラオケに対する興趣を失う可能性が有る。
【０００８】
本発明は、このような事情に鑑みなされたもので、カラオケを盛り上げることができるカラオケ用マイク付きリモコンおよびカラオケシステムの提供を目的とする。
【課題を解決するための手段】
【０００９】
上記目的を達成するため、本発明のカラオケ用マイク付きリモコンは、カラオケシステムを遠隔操作するためのリモコン本体と、音声を音声信号として入力するためのマイクロホンと、上記マイクロホンから入力された音声信号を上記カラオケシステムに無線で送信するとともに、所定の制御信号を上記カラオケシステムから無線で受信するリモコン側送受信部と、使用者による操作入力を受け付けるタッチパネルが積層され、所定の情報を表示する表示部と、上記リモコン本体の動作を制御するリモコン制御手段とを備え、上記リモコン本体に、上記マイクロホンと上記リモコン側送受信部が互いに反対方向を向くよう配置され、上記リモコン制御手段は、上記リモコン送受信部で受信した制御信号に基づいて上記表示部に上記所定の情報を表示するとともに、上記タッチパネルで受け付けた操作入力に基づいて上記リモコン本体を制御し、上記表示部は、上記リモコン本体におけるマイクロホンと上記リモコン送受信部との間の外面に配置され、当該表示部の表示面がマイクロホン側を向くよう回動可能にリモコン本体に支持されていることを要旨とする。
【００１０】
また、上記目的を達成するため、本発明のカラオケシステムは、カラオケシステム本体の動作を制御するシステム制御手段と、カラオケ用マイク付きリモコンに所定の制御信号を無線で送信するとともに、上記カラオケ用マイク付きリモコンのマイクロホンから入力された音声信号を無線で受信するシステム側送受信部と、上記システム側送受信部で受信した音声信号を出力する音声出力手段と、楽曲に関する情報に基づいて音声を再生する再生手段と、上記楽曲に関する情報に基づいて静止画または動画を表示する表示手段とを備えたカラオケシステム本体と、上記カラオケシステム本体を遠隔操作するためのリモコン本体と、音声を音声信号として入力するためのマイクロホンと、上記マイクロホンから入力された音声信号を上記カラオケシステム本体に無線で送信するとともに、所定の制御信号を上記カラオケシステム本体から無線で受信するリモコン側送受信部と、所定の情報を表示する表示部と、上記リモコン本体の動作を制御するリモコン制御手段とを備えたカラオケ用マイク付きリモコンとを有し、上記システム制御手段は、上記カラオケ用マイク付きリモコンに上記楽曲に関する情報を含む制御信号を送信し、上記リモコン制御手段は、当該制御信号に基づいて上記楽曲に関する情報に応じた静止画または動画を上記表示部に表示することを要旨とする。
【発明の効果】
【００１１】
すなわち、本発明のカラオケ用マイク付きリモコンによれば、リモコン本体に、マイクロホンとリモコン側送受信部が互いに反対方向を向くよう配置されているため、使用者がカラオケで歌を歌う等によりマイクロホンに対して音声を入力するときは、リモコン側送受信部が自然にカラオケシステム方向へ向き、音声信号をカラオケシステムに通信感度のよい状態で送信することができるとももに、カラオケシステムから所定の制御信号を通信感度のよい状態で受信することができる。また、リモコン制御手段は、リモコン送受信部で受信した制御信号に基づいて表示部に所定の情報を表示することができ、使用者は、手元で所定の情報を見ながら、音声を入力することができる。例えば、カラオケを行なう場合において、表示部に所定の情報としてカラオケにおける楽曲の歌詞を表示するときには、使用者は、歌いながら手元で歌詞を見ながら、カラオケを行なうことができる。
【００１２】
このように、使用者の音声の劣化を防止するとともに、使用者に対して所定の情報を見やすくすることができるため、使用者は、カラオケで一層盛り上がることができる。
【００１３】
また、上記表示部は、使用者による操作入力を受け付けるタッチパネルが積層され、上記リモコン制御手段は、上記タッチパネルで受け付けた操作入力に基づいて上記リモコン本体を制御するため、使用者に対して操作入力し易くすることができる。
【００１４】
また、上記表示部は、上記リモコン本体におけるマイクロホンと上記リモコン送受信部との間の外面に配置され、当該表示部の表示面がマイクロホン側を向くよう回動可能にリモコン本体に支持されているため、表示部の表示面がマイクロホン側を向くよう回動することで、使用者は、表示部に表示される情報を見やすくなるとともに、カラオケ用マイク付きリモコンの厚みが表示部の表示面の厚みだけ薄くなるため、カラオケ用マイク付きリモコンを握り易くなる。
【００１５】
また、本発明のカラオケシステムによれば、カラオケシステム本体のシステム制御手段は、楽曲に関する情報を含む制御信号をカラオケ用マイク付きリモコンに送信する。そして、カラオケ用マイク付きリモコンのリモコン制御手段は、当該制御信号に基づいて楽曲に関する情報に応じた静止画または動画を上記表示部に表示する。したがって、使用者は、手元で楽曲に関する情報に応じた静止画または動画を見ながら、楽曲に関する情報に基づいて再生手段により再生される楽曲を聞き、音声を入力することができる。例えば、カラオケを行なう場合において、表示部に楽曲に関する情報として楽曲の歌詞を表示するときには、使用者は、歌いながら手元で歌詞を見て、カラオケを行なうことができる。
【００１６】
また、本発明のカラオケシステムにおいて、上記カラオケシステム本体は、使用者がカラオケシステム本体にそれぞれ異なる複数の動作を開始させるための操作入力を受け付ける操作手段を上記複数の動作に対応して複数備え、上記システム制御手段は、上記複数の動作を制御するように構成され、当該複数の動作の中から上記操作手段が受け付けた操作入力に対応した動作を実行する場合には、使用者は、目的に応じた動作を容易に実行させることができる。
【００１７】
本発明のカラオケシステムにおいて、外部から送信された外部信号を受信する外部信号受信手段と、上記外部信号受信手段の受信を報知する報知手段とを備え、上記システム制御手段は、上記外部信号受信手段が外部信号を受信したとき、実行している動作を停止して報知手段による報知を行なう場合には、使用者は、外部から外部信号を受信したことをリアルタイムに知ることができる。
【００１８】
本発明のカラオケシステムにおいて、上記カラオケ用マイク付きリモコンは、所定の報知信号を出力して存在を報知する報知手段を備え、上記カラオケシステム本体は、上記報知手段に報知信号を出力させるための操作入力を使用者から受け付ける報知操作手段を備え、上記システム制御手段は、上記報知操作手段の操作入力に応じて上記カラオケ用マイク付きリモコンに制御信号を送信し、上記リモコン制御手段は、当該制御信号に基づいて上記報知手段に報知信号を出力させる場合には、上記カラオケ用マイク付きリモコンは、カラオケシステム本体の報知操作手段に対して操作入力が行なわれることで、所定の報知信号を出力して存在を報知する。これにより、例えば、使用者は、カラオケ用マイク付きリモコンをどこにしまったかわからなくなった場合に、カラオケシステム本体の報知操作手段に対して操作入力を行なうことでカラオケ用マイク付きリモコンの存在を知ることができる。
【発明を実施するための最良の形態】
【００１９】
つぎに、本発明を実施するための最良の形態を説明する。
【実施例１】
【００２０】
図ｌは、本実施例におけるカラオケシステムを示す図である。
【００２１】
このカラオケシステム１は、カラオケシステム本体３と、このカラオケシステム本体３を遠隔操作するためのカラオケ用マイク付きリモコン５とを含んで構成されている。
【００２２】
カラオケシステム本体３の正面の中央部には、各種の情報を画像や映像で表示する表示装置７が配置されている。
【００２３】
カラオケシステム本体３の正面の上方には、使用者がカラオケシステム本体３にそれぞれ異なる複数の動作を開始させるための操作入力を受け付ける操作手段としての一発ボタンが配置されている。一発ボタンとしては、映像を表示装置７に表示する映像モードにするための映像ボタン１１、音楽を再生する音楽モードにするための音楽ボタン１３、外部装置と通信する通信モードにするための通信ボタン１５、いわゆるテレビゲームを行なうゲームモードにするためのゲームボタン１７、カラオケを行なうカラオケモードにするためのカラオケボタン１９、後述の防犯機能を実行する防犯モードにするための防犯ボタン２１の６つが配置されている。
【００２４】
上記映像ボタン１１、音楽ボタン１３、通信ボタン１５、ゲームボタン１７、カラオケボタン１９、防犯ボタン２１の下方には、それぞれのボタンに対応して、順番に映像ＬＥＤ（ｌｉｇｈｔ  ｅｍｉｔｔｉｎｇ  ｄｉｏｄｅ）１１ａ、音楽ＬＥＤ１３ａ、通信ＬＥＤ１５ａ、ゲームＬＥＤ１７ａ、カラオケＬＥＤ１９ａ、防犯ボタンＬＥＤ２１ａが設けられている。これらのＬＥＤは、それぞれ点灯や点滅することにより、対応するモード（動作）の状態を使用者に対して報知する。
【００２５】
カラオケシステム本体３の正面上方の中央部には、音声を音声信号として入力するための本体側マイクロホン２５が設けられている。本体側マイクロホン２５の上方には、被写体を撮影するカメラ２７が設けられている。カメラ２７は、任意の撮影方向に向かって撮影できるように構成され、使用者は、その撮影方向を任意に設定できるようになっている。また、使用者は、カメラ２７の外周面を指等で円周方向へ回すことでカメラ２７のピントを合わせることができるようになっている。
【００２６】
カラオケシステム本体３の正面の左側には、カラオケ用マイク付きリモコン５に対して所定の報知信号を出力させて存在を報知させるための報知操作手段であるリモコン探しボタン３１が設けられている。
【００２７】
カラオケシステム本体３の正面下方の中央部には、ＣＤ（Ｃｏｍｐａｃｔ  Ｄｉｓｃ）、ＤＶＤ（Ｄｉｇｉｔａｌ  Ｖａｒｓａｔｉｌｅ  Ｄｉｓｋ）等の記録媒体に対して読み書きを行なうディスク制御部８５のトレイ式のディスク取出口３５が設けられている。ディスク取出口３５の左側には、カラオケ用マイク付きリモコン５と赤外線で情報（データ）を送受信する本体側赤外線送受信部３７が設けられている。本体側赤外線送受信部３７の左側には、キーボードやタブレット等の装置を接続するための４つのＵＳＢ（Ｕｎｉｖｅｒｓａｌ  Ｓｅｒｉａｌ  Ｂｕｓ）端子３９が設けられている。ＵＳＢ端子３９は、後述の周辺機器制御部８１（図２）の入力端子である。なお、周辺機器制御部８１にいわゆるシリアル端子が設けられていてもよい。
【００２８】
ディスク取出口３５の右側には、プリンタボタン４１が設けられている。後述のプリンタＵＳＢ端子４３にプリンタが接続されている場合に、プリンタボタン４１が操作されると、表示装置７に表示されている内容がプリンタに印刷されるようになっている。また、後述のプリンタＵＳＢ端子４３にスキャナが接続されている場合に、プリンタボタン４１が操作されると、スキャナによりセットされている原稿が読み取られ、表示装置７に表示される。
【００２９】
プリンタボタン４１の下方には、プリンタボタン４１と対応して設けられ、プリンタやスキャナを接続するためのプリンタＵＳＢ端子４３が設けられている。プリンタＵＳＢ端子４３も、後述の周辺機器制御部８１（図２）の入力端子である。プリンタボタン４１およびプリンタＵＳＢ端子４３の右側には、メモリーカード等の記録媒体に対して読み書きを行なう外部記憶制御部８３（図２）に対するメモリーカード挿入口４５が設けられている。
【００３０】
メモリーカード挿入口４５の右側には、カラオケシステム本体３を起動させるための本体起動ボタン４７が設けられている。カラオケシステム本体３が起動していない状態（待機状態）で本体起動ボタン４７が操作されると、カラオケシステム本体３が起動する。一方、カラオケシステム本体３が起動している状態で、本体起動ボタン４７が操作されると、カラオケシステム本体３が待機状態（スタンバイ状態）となる。
【００３１】
カラオケシステム本体３の左右には、音を出力する本体側スピーカ５１Ｌ，５１Ｒが設置されている。本体側スピーカ５１Ｌ，５１Ｒは、カラオケシステム本体３から出力される音信号に基づいて音を出力する。本体側スピーカ５１Ｌ，５１Ｒは、出力される音質をよくするため、大容量スピーカが採用されている。本体側スピーカ５１Ｌ，５１Ｒの内部には、ハウリング防止機能およびフィードバック防止機能が備えられている。
【００３２】
本実施例では、防犯ボタンの操作により、上述の防犯機能が実行される。防犯機能として、予め設置された赤外線センサ等により侵入者を感知すると、カメラ２７の撮影が開始され撮影領域の様子を録画されるとともに、本体側マイクロホン２５から音声が入力され録音される動作が実行される。また、後述の通信制御部８９を介して携帯電話機に侵入者を検知したことを表す情報が送信される動作が実行される。さらに、カラオケシステム本体３と接続された携帯電話機を介して、例えば「ドロボー、こら〜ッ！」等と叫ぶと、その音声が通信制御部８９を介して本体側スピーカ５１Ｌ，５１Ｒから大音量で出力される動作、本体側スピーカ５１Ｌ，５１Ｒから大音量で威嚇アラームが出力される動作が実行される。
【００３３】
つぎに、図２を参照して、カラオケシステムのシステム構成について説明する。
【００３４】
図２は、カラオケシステム本体３の処理動作を制御するシステム制御手段としての本体制御回路６１と、本体制御回路６１に電気的に接続する周辺装置（アクチュエータ）と、本体制御回路６１から送信される制御指令を外部のカラオケ用マイク付きリモコン５に無線（赤外線）で送信するための本体側赤外線送受信部３７とを含む回路構成を示す。
【００３５】
本体側赤外線送受信部３７は、カラオケ用マイク付きリモコン５に所定の制御信号を無線で送信するとともに、上記カラオケ用マイク付きリモコン５リモコン側マイクロホン１１３から入力された音声信号を無線で受信するシステム側送受信部としての機能を有する。
【００３６】
本体制御回路６１は、各種機器の制御を行なう演算装置である本体側ＣＰＵ（Ｃｅｎｔｒａｌ  Ｐｒｏｃｅｓｓｉｎｇ  Ｕｎｉｔ）６３と、カラオケシステム本体３の処理動作を実行するプログラム等を記憶する本体側ＲＯＭ（Ｒｅａｄ  Ｏｎｌｙ  Ｍｅｍｏｒｙ）６５およびプログラムの一時的な作業領域ともなる本体側ＲＡＭ（Ｒａｎｄｏｍ  Ａｃｃｅｓｓ  Ｍｅｍｏｒｙ）６７と、ＯＳ（オペレーディングシステム）や各種データ等を記憶する本体側ＨＤＤ（Ｈａｒｄ  Ｄｉｓｋ  Ｄｒｉｖｅ）６９と、周辺装置と信号を送受信するための本体側Ｉ／Ｏポート７０とを含む。
【００３７】
上記ＯＳ（オペレーディングシステム）は、Ｌｉｎｕｘ（リナックス）が採用されている。
【００３８】
本体制御回路６１（具体的には、本体側ＣＰＵ６３）は、本体側赤外線送受信部３７により赤外線でカラオケ用マイク付きリモコン５と通信を行ない、カラオケ用マイク付きリモコン５を制御できるようになっている。また、カラオケシステム本体３は、カラオケ用マイク付きリモコン５におけるボタン操作をカラオケ用マイク付きリモコン５から情報として受信するようになっている。
【００３９】
本体側ＣＰＵ６３は、処理動作の一例として、カラオケシステム本体３の映像ボタン１１または後述のカラオケ用マイク付きリモコン５の映像ボタン１２１が操作されると、後述の映像表示処理（図７）を実行するようになっている。また、本体側ＣＰＵ６３は、カラオケシステム本体３のカラオケボタン１９またはカラオケ用マイク付きリモコン５のカラオケボタン１２５が操作されると、後述のカラオケ再生処理（図９および図１０）を実行するようになっている。また、本体側ＣＰＵ６３は、外部から信号を受信すると、割り込み通知処理（図１２）を実行するようになっている。
【００４０】
また、本体側ＣＰＵ６３は、リモコン探しボタン３１の操作入力に応じて上記カラオケ用マイク付きリモコン５に報知信号を出力させる制御信号を送信するようになっている。
【００４１】
図示の回路において、本体制御回路６１からの制御信号により動作が制御される主要なアクチュエータとしては、本体側マイクロホン（図示では、本体側マイク）２５からの入力を制御する本体側音声入力制御部７３、各本体側一発ボタンやプリンタボタン４１やリモコン探しボタン３１における操作を受け付ける本体側操作制御部７５、本体起動ボタン４７における操作を受け付ける本体側電源制御部７７、カメラ２７の撮影を制御する撮影制御部７９、キーボード，タブレット，プリンタ，スキャナ等の外部周辺機器を制御する周辺機器制御部８１、メモリーカードを読み書きする外部記憶制御部８３、ＣＤやＤＶＤ等の記録媒体を読み書きするディスク制御部８５、アンテナで受信された信号に基づいて選局や同調操作を行なうチューナ８７、電話回線や無線通信回線を介して通信を制御する通信制御部８９、ネットワークに接続するためのＮＥＴ回線通信制御部９１、本体側赤外線送受信部３７で受信した音声信号を出力する音声出力手段としての本体側スピーカ５１Ｌ，５１Ｒを制御する本体側音声制御部９３、音声を合成する音声合成部９５、表示装置７の表示を制御する本体側表示制御部９７、映像を合成する映像合成部９９、各本体側ＬＥＤの発光を制御する本体側ＬＥＤ発光制御部１０１が設けられている。
【００４２】
各アクチュエータは、本体側Ｉ／Ｏポート７０を介して本体側ＣＰＵ６３から出力される制御指令等の制御信号を受けて制御される。
【００４３】
通信制御部８９は、外部から送信された外部信号を受信する外部信号受信手段として機能する。
【００４４】
本実施例では、ＮＥＴ回線通信制御部９１は、ルータを介してインターホン等の各種の家庭用電気器具（いわゆるネットワーク家電）の制御や外部サーバとの情報の送受信を行なうようになっている。
【００４５】
外部サーバには、接続端末コード，パスワード，個人情報，決済情報等の会員情報を含むデータベース、ＴＶ番組ガイド，配信音楽，配信映画，配信カラオケ（楽曲に関する情報），配信ゲーム等のコンテンツ情報、電子メールや画像を記憶する記憶部と、外部サーバを制御する制御部とを含んで構成されている。
【００４６】
カラオケシステム本体３は、ネットワークを介して外部サーバと接続し、各種情報（楽曲に関する情報等）を送受信できるようになっている。
【００４７】
本体側音声制御部９３は、ネットワークを介して受信した楽曲に関する情報やＣＤやＤＶＤ等の記憶された楽曲に関する情報に基づいて音声を再生する再生手段として機能する。
【００４８】
表示装置７は、上記楽曲に関する情報に基づいて静止画または動画（歌詞等）を表示する表示手段として機能する。
【００４９】
上記本体制御回路６１（具体的には、本体側ＣＰＵ６３）は、上記カラオケ用マイク付きリモコン５に上記楽曲に関する情報を含む制御信号を送信するようになっている。
【００５０】
上記楽曲に関する情報は、音に関するデータ、カラオケで再生される楽曲のデータ（いわゆるＭＩＤＩデータを含む）、歌詞データ、作曲者の情報、作詞者の情報、画像データ等を含む。
【００５１】
つぎに、図３を参照して、カラオケ用マイク付きリモコン５について説明する。
【００５２】
カラオケ用マイク付きリモコン５は、カラオケシステム（具体的には、カラオケシステム本体３）を遠隔操作するためのリモコン本体１１１と、音声を音声信号として入力するためのリモコン側マイクロホン１１３と、リモコン側マイクロホン１１３から入力された音声信号をカラオケシステム本体３に無線で送信するとともに、所定の制御信号をカラオケシステム本体３から赤外線で受信するリモコン側赤外線送受信部１１４とを備えている。
【００５３】
なお、本実施例では、本体側赤外線送受信部３７とリモコン側赤外線送受信部１１４で赤外線による通信が行なわれるようになっているが、これに限定されるものでなく、磁気誘導を用いた通信を行なうようにしてもよい。磁気誘導では、カラオケ用マイク付きリモコン５の周りに半径約６フィート（１８０センチメートル）の球体状の磁界を作り、概ね１３・５メガヘルツの周波数帯で磁界を変調させることでデータを送受信することができる。磁界が通信空間を確保するため干渉の問題が起きにくい。また、構造が簡素であるため、低コストで製造でき、高周波を使わないため消費電力も小さいという効果を奏する。
【００５４】
また、カラオケ用マイク付きリモコン５には、カラオケシステム本体３の本体側一発ボタンと同様な機能を有する６つのリモコン側一発ボタン（後述の「映像」ボタン１２１等）、所定の情報を表示する表示部としてのタッチパネルディスプレイ１１５、リモコン本体１１１を起動させるためのリモコン起動ボタン１３１、音を出力するリモコン側スピーカ１３２、表示された内容に対して使用者が否定的な操作入力を行なうための戻るボタン１３４、上下左右に使用者が選択項目を移動させるための４つカーソルボタン１３７、表示された内容に対して使用者が肯定的な操作入力を行なうための決定ボタン１３９、所定の信号に基づいて点灯や点滅するリモコン側ＬＥＤ１４１、所定の信号に基づいて振動するバイブレータ１４５が設けられている。
【００５５】
各リモコン側一発ボタンとしては、それぞれカラオケシステム本体３と同様に、映像モードにするための映像ボタン１２１、音楽モードにするための音楽ボタン１２２、通信モードにするための通信ボタン１２３、ゲームモードにするためのゲームボタン１２４、カラオケモードにするためのカラオケボタン１２５、防犯モードにするための防犯ボタン１２６が設けられている。
【００５６】
タッチパネルディスプレイ１１５は、使用者による操作入力を受け付けるタッチパネルが積層され、指等でタッチされることによって行なわれる操作入力（タッチ操作）を受け付け、その操作入力に応じた信号を後述のリモコン側ＣＰＵ１５３へ入力する。リモコン側ＣＰＵ１５３は、その信号に基づいてタッチパネルディスプレイ１１５の表示を制御したり、上記リモコン本体１１１を制御したり、カラオケシステム本体３に情報を送信するようになっている。図示では、タッチパネルディスプレイ１１５に「映画」ボタン、「音楽」ボタン、「通信」ボタン、「ゲーム」ボタン、「カラオケ」ボタン、「防犯」ボタンが表示されている。リモコン側ＣＰＵ１５３は、このようなボタンがタッチ操作されることで、それに応じた動作処理を行なうようになっている。
【００５７】
このように、タッチパネルディスプレイ１１５を採用することで、使用者に対して操作入力し易くすることができる。
【００５８】
リモコン本体１１１は、リモコン本体１１１が起動していない状態（待機状態）でリモコン起動ボタン１３１が操作されると、リモコン本体１１１が起動する。一方、リモコン本体１１１が起動している状態で、リモコン起動ボタン１３１が操作されると、リモコン本体１１１が待機状態（スタンバイ状態）となる。
【００５９】
上記リモコン本体１１１には、リモコン側マイクロホン１１３とリモコン側赤外線送受信部１１４が互いに反対方向を向くよう配置されている。本実施例では、リモコン本体１１１の一端にリモコン側マイクロホン１１３が配置され、他端にリモコン側赤外線送受信部１１４が配置されている。リモコン側マイクロホン１１３は、リモコン側赤外線送受信部１１４と反対方向からの音声を入力するようになっている。
【００６０】
図４に示すように、使用者がカラオケでカラオケ用マイク付きリモコン５をハンドマイクとして歌を歌う等により、リモコン側マイクロホン１１３に対して音声を入力するときは、リモコン側赤外線送受信部１１４が自然にカラオケシステム方向へ向き、音声信号をカラオケシステムに通信感度のよい状態で送信することができるとももに、カラオケシステムから所定の制御信号を通信感度のよい状態で受信することができる。また、後述のリモコン側ＣＰＵ１５３は、リモコン側赤外線送受信部１１４で受信した制御信号に基づいてタッチパネルディスプレイ１１５に所定の情報を表示することができ、使用者は、手元で所定の情報を見て、音声を入力することができる。例えば、カラオケを行なう場合において、タッチパネルディスプレイ１１５に所定の情報としてカラオケにおける楽曲の歌詞を表示するときには、使用者は、正面を向き、歌いながら手元で歌詞を見て、カラオケを行なうことができる。
【００６１】
このように、使用者の音声の劣化を防止するとともに、使用者に対して所定の情報を見やすくすることができるため、使用者は、カラオケで一層盛り上がることができる。
【００６２】
タッチパネルディスプレイ１１５は、リモコン本体１１１におけるリモコン側マイクロホン１１３とリモコン側赤外線送受信部１１４との間の外面に配置されている。タッチパネルディスプレイ１１５は、その表示面がリモコン側マイクロホン１１３側を向くよう回動可能にリモコン本体に支持されている。このように、タッチパネルディスプレイ１１５の表示面がリモコン側マイクロホン１１３側を向くよう回動することで、使用者は、表示部に表示される情報（歌詞や映像等）が見やすくなるとともに、カラオケ用マイク付きリモコン５の厚みがタッチパネルディスプレイ１１５の表示面の厚みだけ薄くなるため、カラオケ用マイク付きリモコン５を握り易くなる。
【００６３】
つぎに、図５を参照して、カラオケ用マイク付きリモコンのシステム構成について説明する。
【００６４】
図５は、リモコン本体１１１の処理動作を制御するリモコン制御回路１５１と、リモコン制御回路１５１に電気的に接続する周辺装置（アクチュエータ）と、リモコン制御回路１５１から送信される制御指令を外部のカラオケシステム本体３に無線で送信するためのリモコン側赤外線送受信部１１４とを含む回路構成を示す。
【００６５】
リモコン制御回路１５１は、各種機器の制御を行なう演算装置であるリモコン側ＣＰＵ１５３と、リモコン本体１１１の処理動作を実行するプログラムを記憶するリモコン側ＲＯＭ１５５およびプログラムの一時的な作業領域ともなるリモコンＲＡＭ１５７と、周辺装置と信号を送受信するためのリモコン側Ｉ／Ｏポート１５９とを含む。
【００６６】
リモコン制御回路１５１（具体的には、リモコン側ＣＰＵ１５３）は、上記カラオケシステム本体３から上記カラオケ用マイク付きリモコン５に楽曲に関する情報を含む制御信号が送信されると、カラオケシステム本体３から受信した楽曲に関する情報に応じた画像をタッチパネルディスプレイ１１５に表示するようになっている。
【００６７】
また、リモコン制御回路１５１は、リモコン側赤外線送受信部１１４により赤外線でカラオケシステム本体３と通信を行ない、カラオケシステム本体３に、カラオケ用マイク付きリモコン５におけるボタン操作を情報として送信するようになっている。
【００６８】
図示の回路において、リモコン制御回路１５１からの制御信号により動作が制御される主要なアクチュエータとしては、リモコン側マイクロホン（図示では、リモコン側マイク）１１３からの入力を制御するリモコン側音声入力制御部１６１、各リモコン側一発ボタン，カーソルボタン１３７，戻るボタン１３４，決定ボタン１３９における操作を受け付けるリモコン側操作制御部１６３、リモコン起動ボタン１３１における操作を受け付けるリモコン側電源制御部１６５、カラオケ用マイク付きリモコン５の電源となる電池１６７、タッチパネルディスプレイ１１５における受け付けと表示を制御する受付表示制御手段１６９、リモコン側スピーカ１３２を制御するリモコン側音声制御部１７１、リモコン側ＬＥＤ１４１の発光を制御するリモコン側発光制御部１７３、振動を発するバイブレータ１４５が設けられている。
【００６９】
リモコン側ＬＥＤ１４１やバイブレータ１４５は、所定の報知信号を出力して存在を報知する報知手段として機能するようになっている。本体制御回路６１は、カラオケシステム本体３から、リモコン探しボタン３１の操作入力に応じて送信された制御信号に基づいて上記報知手段に報知信号を出力させるようになっている。具体的には、本体制御回路６１は、リモコン探しボタン３１の操作入力に応じて送信された制御信号を受信すると、リモコン側ＬＥＤ１４１を点灯または点滅させるとともに、バイブレータ１４５を振動させる。
【００７０】
このようにすることにより、カラオケ用マイク付きリモコン５は、カラオケシステム本体３のリモコン探しボタン３１に対して操作入力が行なわれることで、所定の報知信号（光や振動による信号）を出力して使用者に対して存在を報知する。これにより、例えば、使用者は、カラオケ用マイク付きリモコン５をどこにしまったかわからなくなった場合に、カラオケシステム本体３のリモコン探しボタン３１を操作することでカラオケ用マイク付きリモコン５の存在を知ることができる。
【００７１】
リモコン制御回路１５１は、プログラムの実行やタッチパネルディスプレイ１１５から受信した指示信号（使用者の指等でタッチされることで行なわれる入力操作に応じた信号）に基づいて、リモコン側Ｉ／Ｏポート１５９を介して各アクチュエータに対して制御信号を送信し各アクチュエータを制御したり、リモコン側赤外線送受信部１１４を介してカラオケシステム本体３に対してボタンの操作入力に応じた情報を送信する。
【００７２】
つぎに、図６を参照して、タッチパネルディスプレイ１１５の表示例について説明する。
【００７３】
図６（Ａ）に示すように、タッチパネルディスプレイ１１５は、通信ボタン１２３が操作され、カラオケ用マイク付きリモコン５が通信モードとなることで、「０」〜「９」，「＊」，「＃」等の各ボタン、「発信」ボタン、「切」ボタン等の電話に関する表示ボタンを表示する。このように、カラオケ用マイク付きリモコン５が電話機として機能し、使用者は、これらの表示ボタンを操作することで電話をかけ、リモコン側マイクロホン１１３とリモコン側スピーカ１３２等を用いて発信先の人と会話をすることができる。
【００７４】
また、図６（Ｂ）示すように、タッチパネルディスプレイ１１５には、外部と電子メールを送受信できるように、使用者が文字を入力するための複数の入力ボタンと、入力した文字を確認するための入力文字確認領域等が表示される。使用者は、入力文字確認領域を見ながら上記入力ボタンを操作して、外部と電子メールをやり取りすることができる。
【００７５】
つぎに、図７〜図１３を参照して、カラオケシステム本体３の制御処理の一例について説明する。
【００７６】
カラオケシステム本体３の動作処理は、カラオケシステム本体３の本体側ＣＰＵ６３が本体側ＲＯＭ６５に記憶されるプログラムを本体側ＲＡＭ６７に読出して実行することによって実現される。ここで、「Ｓ」はステップを意味する。
【００７７】
上述のように、カラオケシステム本体３とカラオケ用マイク付きリモコン５は、赤外線による通信を行ない、カラオケシステム本体３は、カラオケ用マイク付きリモコン５を制御できるようになっている。また、カラオケシステム本体３は、カラオケ用マイク付きリモコン５でのボタン操作をカラオケ用マイク付きリモコン５から情報として受信するようになっているため、カラオケ用マイク付きリモコン５のいずれのボタン（例えば、映像ボタン１２１等）が操作されたか否かを判別することもできる。このため、カラオケシステム本体３とカラオケ用マイク付きリモコン５との情報の送受信に関しては省略して説明する。
【００７８】
まず、図７を参照して、映像表示処理について説明する。
【００７９】
まず、本体側ＣＰＵ６３は、カラオケシステム本体３の映像ボタン１１またはカラオケ用マイク付きリモコン５の映像ボタン１２１が操作されたか否かを判別する（Ｓ１）。ここで、いずれかの映像ボタンが操作されたと判別すると（Ｓ１で“ＹＥＳ”）、Ｓ２に進み、いずれの映像ボタンも操作されていないと判別すると（Ｓ１で“ＮＯ”）、このまま待機する。ここで、カラオケシステム本体３は、待機状態のとき、いずれかの映像ボタンが操作されると、起動する。
【００８０】
ついで、本体側ＣＰＵ６３は、再生可能な映像を検索する（Ｓ２）。詳細には、ＤＶＤやＣＤが挿入され再生可能な映像データがあるか、メモリーカードが挿入され再生可能な映像データがあるか、本体側ＨＤＤ６９に再生可能な映像データがあるか否かを検索する。
【００８１】
ついで、本体側ＣＰＵ６３は、Ｓ２の検索結果に基づいて映像メニュー画面（図８）をカラオケ用マイク付きリモコン５のタッチパネルディスプレイ１１５に表示する（Ｓ３）。図示していないが、カラオケシステム本体３の表示装置７にも同様な画面を表示してもよい。
【００８２】
図８に示すように、映像メニュー画面には、「ＴＶを見る」と表示された「ＴＶ」鑑賞ボタン、「ＤＶＤをみる」と表示された「ＤＶＤ」鑑賞ボタン、「録画を見る」と表示された「録画」鑑賞ボタン、「メモリーカード」と表示された「メモリーカード」鑑賞ボタンが表示されている。これらの鑑賞ボタンは、Ｓ２の検索により見つかった再生可能な映像データに基づいて表示されている。すなわち、現在再生可能な映像は、ＴＶ（テレビ放送）の映像と、ＤＶＤに記憶された映像データ，本体側ＨＤＤ６９に記憶された録画映像データ，メモリーカードに記憶された映像データに基づいて再生表示される映像である。このように、観ることが可能な映像を項目表示し、観ることが可能な映像の中から任意の映像を選択し観ることができるので、子供から年寄りまで容易に使用することができる。また、観ることができる映像を容易に知ることができる。
【００８３】
再び図７を参照して、映像メニュー画面（図８）が表示されると（Ｓ３）、本体側ＣＰＵ６３は、カラオケ用マイク付きリモコン５からの選択操作を受け付ける（Ｓ４）。ここで、本体側ＣＰＵ６３は、カラオケ用マイク付きリモコン５から選択を受け付けることを示す受付可能信号をカラオケ用マイク付きリモコン５に対して送信する。カラオケ用マイク付きリモコン５は、受信した受付可能信号に基づいてリモコン側ＬＥＤ１４１を点灯または点滅させる。これにより、使用者は、カラオケシステムがいずれの映像データを再生表示するかの選択を受け付けていることを知ることができる。
【００８４】
ついで、本体側ＣＰＵ６３は、カラオケシステム本体３の表示装置７に選択された内容にしたがって画面を表示し、映像を表示する（Ｓ５）。ここでは、例えば、「ＴＶ」鑑賞ボタンが操作されると、表示装置７にＴＶの映像が表示されるが、「録画」鑑賞ボタンの操作により、録画されている映像の中でどの映像を観るか等のように、さらに選択が必要な場合は、所定の選択画面が表示する。そして、いずれの映像データを再生表示するかの選択を受け付けると、その選択に応じた映像データに基づいて再生表示する。なお、ＴＶの録画は、ＥＰＧ（Ｅｌｅｃｔｒｉｃ  Ｐｒｏｇｒａｍ  Ｇｕｉｄｅ）を用いて行なう。
【００８５】
ついで、本体側ＣＰＵ６３は、再生表示する映像に応じたボタンをカラオケ用マイク付きリモコン５のタッチパネルディスプレイ１１５に表示させる（Ｓ６）。具体的には、本体側ＣＰＵ６３は、再生表示する映像に関する信号をカラオケ用マイク付きリモコン５に送信する。カラオケ用マイク付きリモコン５は、その受信した信号に基づいて再生表示する映像の表示を使用者が制御するための表示制御ボタンを表示する。例えば、ＴＶ映像を表示している場合はチャンネルボタン、録画映像を表示している場合は再生ボタンや早送りボタン等の表示制御ボタンを表示する。
【００８６】
ついで、本体側ＣＰＵ６３は、いずれかのボタンが操作されたか否かを判別する（Ｓ７）。ここで、いずれかのボタンが操作されたと判別すると（Ｓ７で“ＹＥＳ”）、Ｓ８に進み、いずれのボタンも操作されていないと判別すると（Ｓ７で“ＮＯ”）、このまま待機して、そのまま映像を再生表示する。
【００８７】
ここで、「いずれかのボタン」とは、起動ボタン、各一発ボタン、表示制御ボタン等のボタンを含む趣旨である。
【００８８】
いずれかのボタンが操作されると（Ｓ７で“ＹＥＳ”）、本体側ＣＰＵ６３は、本体起動ボタン４７またはリモコン起動ボタン１３１が操作されたか否かを判別する（Ｓ８）。ここで、いずれかの起動ボタンが操作されたと判別すると（Ｓ８で“ＹＥＳ”）、Ｓ９に進み、いずれの起動ボタンも操作されていないと判別すると（Ｓ８で“ＮＯ”）、Ｓ１０に進む。
【００８９】
いずれかの起動ボタンが操作されると（Ｓ８で“ＹＥＳ”）、本体側ＣＰＵ６３は、待機モード（待機状態）に移り（Ｓ９）、映像表示処理を終了する。
【００９０】
いずれの起動ボタンも操作されていないと（Ｓ８で“ＮＯ”）、本体側ＣＰＵ６３は、カラオケ用マイク付きリモコン５の他の一発ボタンが操作されたか否かを判別する（Ｓ１０）。ここで、他の一発ボタンが操作されたと判別すると（Ｓ１０で“ＹＥＳ”）、Ｓ１１に進み、他の一発ボタンが操作されていないと判別すると（Ｓ１０で“ＮＯ”）、Ｓ１２に進む。
【００９１】
他の一発ボタンが操作されると（Ｓ１０で“ＹＥＳ”）、本体側ＣＰＵ６３は、操作された一発ボタンに応じた処理に移り（Ｓ１１）、映像表示処理を終了する。
【００９２】
すなわち、本体側ＣＰＵ６３は、上記複数の動作を制御するように構成され、当該複数の動作の中から一発ボタンが受け付けた操作入力に対応した動作を実行するようになっているため、使用者は、目的に応じた動作を一回の操作で容易に実行させることができる。
【００９３】
他の一発ボタンが操作されていないと（Ｓ１０で“ＮＯ”）、本体側ＣＰＵ６３は、操作された表示制御ボタンに応じて画面を表示し（Ｓ１２）、Ｓ７に戻る。例えば、ＴＶの映像を表示しているときに表示されるチャンネルボタンが操作されると、そのチャンネルに応じたＴＶ映像（番組）に切り替える。
【００９４】
つぎに、図９および図１０を参照して、カラオケ再生処理について説明する。
【００９５】
まず、本体側ＣＰＵ６３は、カラオケシステム本体３のカラオケボタン１９またはカラオケ用マイク付きリモコン５のカラオケボタン１２５が操作されたか否かを判別する（Ｓ２１）。ここで、いずれかのカラオケボタンが操作されたと判別すると（Ｓ２１で“ＹＥＳ”）、Ｓ２２に進み、いずれのカラオケボタンも操作されていないと判別すると（Ｓ２１で“ＮＯ”）、このまま待機する。カラオケシステム本体３は、上述の映像ボタンと同様に、待機状態のときは、いずれかのカラオケボタン（一発ボタン）が操作されると、起動するようになっている。
【００９６】
カラオケボタンが操作されると（Ｓ２１で“ＹＥＳ”）、本体側ＣＰＵ６３は、カラオケメニュー画面（図１１（Ａ））をカラオケ用マイク付きリモコン５のタッチパネルディスプレイ１１５に表示する（Ｓ２２）。なお、同様な画面をカラオケシステム本体３の表示装置７に表示してもよい。
【００９７】
図１１（Ａ）に示すように、メニュー画面には、「歌う」と表示された「歌う」ボタンと、「曲をダウンロード」と表示された「ダウンロード」ボタンとが表示されている。使用者は、「歌う」ボタンを選択すると、カラオケを行なうことができ、「ダウンロード」ボタンを操作すると、外部サーバ等からネットワークを介して所定の曲をダウンロードすることができるようになっている。
【００９８】
ついで、本体側ＣＰＵ６３は、使用者に対してカラオケ用マイク付きリモコン５のタッチパネルディスプレイ１１５を起こすよう促す案内をタッチパネルディスプレイ１１５に表示する（Ｓ２３）。なお、表示装置７も、同様に上記のような案内を表示するようにしてもよい。
【００９９】
ついで、本体側ＣＰＵ６３は、再生可能な楽曲を検索する（Ｓ２４）。詳細には、ＤＶＤやＣＤが挿入され再生可能な楽曲データがあるか、メモリーカードが挿入され再生可能な楽曲があるか、本体側ＨＤＤ６９に再生可能な楽曲があるか、外部サーバとの通信により再生可能な楽曲があるか否かを検索する。ここで、楽曲データとは、楽曲に関する情報を意味する趣旨である。
【０１００】
ついで、本体側ＣＰＵ６３は、Ｓ２４で検索した再生可能な楽曲データをリスト表示し、再生する楽曲データの選択を使用者から受け付ける（Ｓ２５）。具体的には、再生可能な楽曲に応じて楽曲ボタンをリスト表示し、楽曲ボタンの操作を使用者から受け付ける。
【０１０１】
ついで、本体側ＣＰＵ６３は、いずれかのボタンが操作されたか否かを判別する（Ｓ２６）。ここで、いずれかのボタンが操作されたと判別すると（Ｓ２６で“ＹＥＳ”）、Ｓ２７に進み、いずれのボタンも操作されていないと判別すると（Ｓ２６で“ＮＯ”）、このまま待機する。
【０１０２】
ここで、「いずれかのボタン」とは、起動ボタン、各一発ボタン、楽曲ボタン等のボタンを含む趣旨である。
【０１０３】
いずれかのボタンが操作されると（Ｓ２６で“ＹＥＳ”）、本体側ＣＰＵ６３は、本体起動ボタン４７またはリモコン起動ボタン１３１が操作されたか否かを判別する（Ｓ２７）。ここで、いずれかの起動ボタンが操作されたと判別すると（Ｓ２７で“ＹＥＳ”）、Ｓ２８に進み、いずれの起動ボタンも操作されていないと判別すると（Ｓ２７で“ＮＯ”）、Ｓ２９に進む。
【０１０４】
いずれかの起動ボタンが操作されると（Ｓ２７で“ＹＥＳ”）、本体側ＣＰＵ６３は、待機モード（待機状態）に移り（Ｓ２８）、カラオケ再生処理を終了する。
【０１０５】
いずれの起動ボタンも操作されていないと（Ｓ２７で“ＮＯ”）、本体側ＣＰＵ６３は、他の一発ボタンが操作されたか否かを判別する（Ｓ２９）。ここで、他の一発ボタンが操作されたと判別すると（Ｓ２９で“ＹＥＳ”）、Ｓ３０に進み、他の一発ボタンが操作されていないと判別すると（Ｓ２９で“ＮＯ”）、図１０のＳ３１に進む。
【０１０６】
他の一発ボタンが操作されると（Ｓ２９で“ＹＥＳ”）、本体側ＣＰＵ６３は、操作された一発ボタンに応じた処理に移り（Ｓ３０）、カラオケ再生処理を終了する。
【０１０７】
つづいて図１０に示すように、他の一発ボタンが操作されていないと（図９のＳ２９で“ＮＯ”）、本体側ＣＰＵ６３は、カラオケ用マイク付きリモコン５のリモコン側マイクロホン１１３をＯＮにし（カラオケ用マイク付きリモコン５から音声入力を受け付ける状態にする）、選択された楽曲に基づいて楽曲を再生する（Ｓ３１）。このとき、別のカラオケ用マイク付きリモコンが備えられている場合、そのカラオケ用マイク付きリモコンからカラオケボタン１２５やリモコン起動ボタン１３１で操作を受け付けると、そのカラオケ用マイク付きリモコンからの音声入力を受け付ける。楽曲の選択は、最初にＯＮとなったカラオケ用マイク付きリモコンからだけ受け付けるようになっている。このように、複数のカラオケ用マイク付きリモコンが備えられている場合には、いずれのカラオケ用マイク付きリモコンから操作を受け付けるか否かが決定される。楽曲が再生されると、楽曲の選択は、いずれのカラオケ用マイク付きリモコンからでも受け付けるようになっている。
【０１０８】
ついで、本体側ＣＰＵ６３は、カラオケシステム本体３の表示装置７に再生される楽曲に同期させて歌詞を表示するとともに、カラオケ用マイク付きリモコン５のタッチパネルディスプレイ１１５にも再生される楽曲に同期させて歌詞を表示させる（Ｓ３２）。具体的には、本体側ＣＰＵ６３は、楽曲に関する情報を含む制御信号をカラオケ用マイク付きリモコン５に送信する。そして、カラオケ用マイク付きリモコン５のリモコン側ＣＰＵ１５３は、当該制御信号に基づいて楽曲に関する情報に応じた画像をタッチパネルディスプレイ１１５に表示する。したがって、使用者は、手元で楽曲に関する情報に応じた画像を見て、楽曲に関する情報に基づいて再生手段により再生される楽曲を聞き、音声を入力することができる。
【０１０９】
図１１（Ｂ）に示すように、タッチパネルディスプレイ１１５には、楽曲の再生と同期して楽曲の歌詞が表示される。これにより、使用者は、手元で再生される楽曲と同期して表示される歌詞を見ながらカラオケを行なうことができる。
【０１１０】
ついで、本体側ＣＰＵ６３は、カラオケ用マイク付きリモコン５のタッチパネルディスプレイ１１５に特定のボタンを表示する（Ｓ３３）。詳細には、特定のボタンとしては、楽曲のキー（ｋｅｙ）を切り替えるための「キーコントロール」ボタン、楽曲のテンポ（ｔｅｍｐｏ）を切り替えるための「テンポ」ボタン、楽曲のガイドメロディーを付けるための「練習モード」ボタン、楽曲からガイドメロディーを除去するための「本番モード」ボタン、入力された音声を男声から女声または入力された音声を女声から男声に変換する「音声変換」ボタン、つぎに再生する楽曲を予約するための「リスト表示」ボタン等が採用されている。
【０１１１】
ついで、本体側ＣＰＵ６３は、特定のボタンが操作されたか否かを判別する（Ｓ３４）。ここで、いずれかの特定のボタンが操作されたと判別すると（Ｓ３４で“ＹＥＳ”）、Ｓ３５に進み、いずれの特定のボタンも操作されていないと判別すると（Ｓ３４で“ＮＯ”）、Ｓ３６に進む。
【０１１２】
いずれかの特定のボタンが操作されると（Ｓ３４で“ＹＥＳ”）、本体側ＣＰＵ６３は、操作された特定のボタンに応じた処理を実行する（Ｓ３５）。例えば、「キーコントロール」ボタンが操作されることで、楽曲のキー（ｋｅｙ）を切り替える処理を実行する。他の特定のボタンについても同様に、操作されたボタンに応じた処理を実行するようになっている。
【０１１３】
ついで、本体側ＣＰＵ６３は、１曲の再生が終了したか否かを判別する（Ｓ３６）。ここで、１曲の再生が終了したと判別すると（Ｓ３６で“ＹＥＳ”）、図９のＳ２５に戻り、１曲の再生が終了していないと判別すると（Ｓ３６で“ＮＯ”）、Ｓ３４に戻る。
【０１１４】
つぎに、図１２を参照して、割り込み通知処理について説明する。
【０１１５】
まず、本体側ＣＰＵ６３は、外部から信号を受信したか否かを判別する（Ｓ４１）。ここで、外部から信号を受信したと判別すると（Ｓ４１で“ＹＥＳ”）、Ｓ４２に進み、外部から信号を受信していないと判別すると（Ｓ４１で“ＮＯ”）、このまま待機する。
【０１１６】
上記外部から信号は、電話，ＦＡＸ，電子メールの着信、インターホンの呼び出し信号等が挙げられる。
【０１１７】
ついで、本体側ＣＰＵ６３は、外部からの信号を受信したことを使用者に対して報知する（Ｓ４２）。
【０１１８】
詳細には、図１３（Ａ）に示すように、カラオケシステム本体３の通信ボタン１５に対応する通信ＬＥＤ１５ａを点灯または点滅させるとともに、カラオケ用マイク付きリモコン５のタッチパネルディスプレイ１１５に外部からの信号に応じたアイコンを点灯または点滅表示させる。
【０１１９】
すなわち、通信ＬＥＤ１５ａやタッチパネルディスプレイ１１５は、外部信号受信手段としての通信制御部８９の受信を報知する報知手段として機能し、本体側ＣＰＵ６３は、通信制御部８９が外部信号を受信したとき、実行している動作を停止して通信ＬＥＤ１５ａによる報知を行なうようになっているため、使用者は、外部から外部信号を受信したことをリアルタイムに知ることができる。
【０１２０】
ついで、本体側ＣＰＵ６３は、いずれかのボタンが操作されたか否かを判別する（Ｓ４３）。ここで、いずれかのボタンが操作されたと判別すると（Ｓ４３で“ＹＥＳ”）、Ｓ４４に進み、いずれのボタンも操作されていないと判別すると（Ｓ４３で“ＮＯ”）、このまま待機する。
【０１２１】
「いずれかのボタン」とは、カラオケシステム本体３の通信ボタン１５、カラオケ用マイク付きリモコン５の通信ボタン１２３、戻るボタン１３４、一発ボタン等のボタンを含む趣旨である。
【０１２２】
いずれかのボタンが操作されると（Ｓ４３で“ＹＥＳ”）、本体側ＣＰＵ６３は、カラオケシステム本体３の通信ボタン１５またはカラオケ用マイク付きリモコン５の通信ボタン１２３が操作されたか否かを判別する（Ｓ４４）。ここで、いずれかの通信ボタンが操作されたと判別すると（Ｓ４４で“ＹＥＳ”）、Ｓ４５に進み、いずれの通信ボタンも操作されていないと判別すると（Ｓ４４で“ＮＯ”）、Ｓ４９に進む。
【０１２３】
いずれかの通信ボタンが操作されると（Ｓ４４で“ＹＥＳ”）、本体側ＣＰＵ６３は、表示装置７の表示画面の一部の領域に受信内容を表示する（Ｓ４５）。
【０１２４】
具体的には、図１３（Ｂ）に示すように、表示装置７の表示画面の一部の領域に受信内容が画面（例えば、カラオケ画面）にオーバーラップ表示される。図示では、本体側ＣＰＵ６３は、受信内容として、画面に「電話です」とオーバーラップ表示し、外部から電話が着信していることを報知している。これにより、使用者は、カラオケ等を行なっている途中でも外部から受信した信号が何であるかを知ることができる。
【０１２５】
ついで、本体側ＣＰＵ６３は、もう一度、いずれかの通信ボタンが操作されたか否かを判別する（Ｓ４６）。ここで、もう一度、いずれかの通信ボタンが操作されたと判別すると（Ｓ４６で“ＹＥＳ”）、Ｓ４７に進み、いずれの通信ボタンも操作されていないと判別すると（Ｓ４６で“ＮＯ”）、Ｓ４９に進む。
【０１２６】
いずれかの通信ボタンが操作されると（Ｓ４６で“ＹＥＳ”）、本体側ＣＰＵ６３は、本体側スピーカ５１Ｌ，５１Ｒから出力している音の音量を下げ、実行している動作（例えば、カラオケ再生処理）を停止し（Ｓ４７）、外部からの通信を受け付ける動作を実行する（Ｓ４８）。この後、Ｓ５１に進む。
【０１２７】
いずれの通信ボタンも操作されていないと（Ｓ４６で“ＮＯ”）、本体側ＣＰＵ６３は、カラオケ用マイク付きリモコン５の戻るボタン１３４が操作されたか否かを判別する（Ｓ４９）。ここで、戻るボタン１３４が操作されたと判別すると（Ｓ４９で“ＹＥＳ”）、Ｓ５０に進み、戻るボタン１３４が操作されていないと判別すると（Ｓ４９で“ＮＯ”）、Ｓ５３に進む。
【０１２８】
戻るボタン１３４が操作されると（Ｓ４９で“ＹＥＳ”）、本体側ＣＰＵ６３は、不在動作を実行し（Ｓ５０）、Ｓ５１に進む。不在動作は、電話の着信であれば留守番モードにし、ＦＡＸの着信であればメモリ受信し、インターホンの呼び出し信号であれば、このまま待機する。
【０１２９】
また、電子メールの着信においては、定期的にメールサーバを監視する設定の場合には、メールサーバをチェックして電子メールが存在すれば自動的に受信する。ここで、受信した後には、上述と同様に、カラオケシステム本体３の通信ボタン１５に対応する通信ＬＥＤ１５ａを点灯または点滅させるとともに、カラオケ用マイク付きリモコン５のタッチパネルディスプレイ１１５に外部からの信号に応じたアイコンを点灯または点滅表示する。そして、この状態で、いずれかの通信ボタンが操作されることにより、電子メールの内容がカラオケシステム本体３の表示装置７やカラオケ用マイク付きリモコン５のタッチパネルディスプレイ１１５に表示される。
【０１３０】
ついで、本体側ＣＰＵ６３は、Ｓ４８やＳ５０の動作が終了したか否かを判別する（Ｓ５１）。ここで、動作が終了したと判別すると（Ｓ５１で“ＹＥＳ”）、Ｓ５２に進み、動作が終了していないと判別すると（Ｓ５１で“ＮＯ”）、このまま動作が終了するまで待機する。
【０１３１】
Ｓ４８やＳ５０の動作が終了すると（Ｓ５１で“ＹＥＳ”）、元の動作（例えば、カラオケ再生処理）に戻る旨を示す案内画面を表示し、元の動作に戻る（Ｓ５２）。この後、Ｓ４１に戻る。なお、元の動作に戻る際、例えばカラオケ再生処理が行なわれていた場合には、再生していた楽曲の途中（割り込み通知処理が行なわれた時点）から続行するように戻ってもよいし、楽曲の最初から始めるように戻ってもよい。
【０１３２】
Ｓ４９の説明に戻って、カラオケ用マイク付きリモコン５の戻るボタン１３４が操作されていないと（Ｓ４９で“ＮＯ”）、本体側ＣＰＵ６３は、操作されたボタンに応じて画面を表示し（Ｓ５３）、Ｓ４１に戻る。
【０１３３】
なお、本装置のコンピュータ装置の制御方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ、ＲＡＭおよびメモリーカード等のコンピュータ読取り可能な記録媒体に記録させて、プログラム製品として提供することもできる。あるいは、コンピュータに内蔵するハードディスク等の記録媒体に記録させて、プログラムを提供することもできる。また、電気通信回線や衛星通信回線等のネットワークを通じて、プログラムを提供することもできる。提供されるプログラム製品は、ハードディスク等のプログラム格納部にインストールされて実行される。なお、プログラム製品は、プログラム自体と、プログラムが記録された記録媒体とを含む。
【０１３４】
また、カラオケシステム本体３は、携帯電話機からＴＶ番組を録画予約できるようにしてもよい。また、デジタルカメラ等の撮影装置により撮影された撮影画像を表示するようにしてもよいし、その画像に対して落書き画像を合成するようにしてもよいし、撮影画像や撮影画像と落書き画像が合成された合成画像を写真メールとして送信できるようにしてもよい。
【０１３５】
また、カラオケシステム本体３は、カメラと本体側マイクロホン等によりＴＶ電話として機能してもよい。この場合、録画機能、大勢でＴＶ電話を行なうチャットＴＶテレホン機能を有していてもよい。また、相手に上記のような撮影画像を送信する機能、所定の動画を見せながらＴＶ電話ができる機能、留守番電話機能、伝言電話機能を有していてもよい。
【０１３６】
また、カラオケシステム本体３は、外部サーバから映画データをダウンロードし、そのデータに基づいて映画を視聴できるようにしてもよい。また、本体側マイクロホンや携帯電話機等からの音声を認識する音声認識部（例えば、前述の本体側ＣＰＵ）を備え、音声認識部が認識した音声に基づいて各装置を制御するようにしてもよい。この場合、認識した音声に基づいてネットワーク家電を制御するようにしてもよい。
【０１３７】
また、カラオケシステム本体３は、ＦＡＸを受信すると、表示装置に受信した内容を表示するようにしてもよいし、表示装置に表示されている内容を送信先にＦＡＸできるようにしてもよい。
【０１３８】
上記実施例は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３９】
【図１】本発明のカラオケシステムの外観を示す斜視図である。
【図２】カラオケシステム本体のシステム構成図である。
【図３】本発明のカラオケ用マイク付きリモコンの外観を示す図である。
【図４】カラオケ用マイク付きリモコンの使用例を示す図である。
【図５】カラオケ用マイク付きリモコンのシステム構成図である。
【図６】タブレットディスプレイにおける表示例を示す図である。
【図７】カラオケシステム本体の映像表示処理を示すフローチャートである。
【図８】タブレットディスプレイにおける表示例を示す図である。
【図９】カラオケシステム本体のカラオケ再生処理を示すフローチャートである。
【図１０】図９に続くカラオケ再生処理を示すフローチャートである。
【図１１】タブレットディスプレイにおける表示例を示す図である。
【図１２】カラオケシステム本体の割り込み通知処理を示すフローチャートである。
【図１３】表示装置とタブレットディスプレイにおける表示例を示す図である。
【符号の説明】
【０１４０】
１        カラオケシステム
３        カラオケシステム本体
５        カラオケ用マイク付きリモコン
７        表示装置
１１      映像ボタン
１１ａ    映像ＬＥＤ
１３      音楽ボタン
１３ａ    音楽ＬＥＤ
１５      通信ボタン
１５ａ    通信ＬＥＤ
１７      ゲームボタン
１７ａ    ゲームＬＥＤ
１９      カラオケボタン
１９ａ    カラオケＬＥＤ
２１      防犯ボタン
２１ａ    防犯ボタンＬＥＤ
２５      本体側マイクロホン
２７      カメラ
３１      リモコン探しボタン
３５      ディスク取出口
３７      本体側赤外線送受信部
３９      ＵＳＢ端子
４１      プリンタボタン
４３      プリンタＵＳＢ端子
４５      メモリーカード挿入口
４７      本体起動ボタン
５１Ｌ    本体側スピーカ
５１Ｒ    本体側スピーカ
６１      本体制御回路
６３      本体側ＣＰＵ
６５      本体側ＲＯＭ
６７      本体側ＲＡＭ
６９      本体側ＨＤＤ
７０      本体側Ｉ／Ｏポート
７３      本体側音声入力制御部
７５      本体側操作制御部
７７      本体側電源制御部
７９      撮影制御部
８１      周辺機器制御部
８３      外部記憶制御部
８５      ディスク制御部
８７      チューナ
８９      通信制御部
９１      ＮＥＴ回線通信制御部
９３      本体側音声制御部
９５      音声合成部
９７      本体側表示制御部
９９      映像合成部
１０１    本体側ＬＥＤ発光制御部
１１１    リモコン本体
１１３    リモコン側マイクロホン
１１４    リモコン側赤外線送受信部
１１５    タッチパネルディスプレイ
１２１    映像ボタン
１２２    音楽ボタン
１２３    通信ボタン
１２４    ゲームボタン
１２５    カラオケボタン
１２６    防犯ボタン
１３１    リモコン起動ボタン
１３２    リモコン側スピーカ
１３４    戻るボタン
１３７    カーソルボタン
１３９    決定ボタン
１４１    リモコン側ＬＥＤ
１４５    バイブレータ
１５１    リモコン制御回路
１５３    リモコン側ＣＰＵ
１５５    リモコン側ＲＯＭ
１５７    リモコンＲＡＭ
１５９    リモコン側Ｉ／Ｏポート
１６１    リモコン側音声入力制御部
１６３    リモコン側操作制御部
１６５    リモコン側電源制御部
１６７    電池
１６９    受付表示制御手段
１７１    リモコン側音声制御部
１７３    リモコン側発光制御部
【図１】
2005309001.tif 000003
【図２】
2005309001.tif 000004
【図３】
2005309001.tif 000005
【図４】
2005309001.tif 000006
【図５】
2005309001.tif 000007
【図６】
2005309001.tif 000008
【図７】
2005309001.tif 000009
【図８】
2005309001.tif 000010
【図９】
2005309001.tif 000011
【図１０】
2005309001.tif 000012
【図１１】
2005309001.tif 000013
【図１２】
2005309001.tif 000014
【図１３】
2005309001.tif 000015